(57)【要約】【課題】機種の異なる複数の空気調和機の室内機と据付板とがばらばらになっても、容易に組合わせることができて、組合わせに手間どったり誤って取付けたりすることのない空気調和機を提供する。【解決手段】吸込口及び吹出口を有し、内部に送風機及び熱交換器が設けられた室内機１と、壁面等に固定され室内機１が取付けられる据付板１５とを有し、室内機１と据付板１５の前面とに、同じ識別記号１２，２０を設けた。【選択図】図１
2009257646.tif 000002
【特許請求の範囲】
【請求項１】
吸込口及び吹出口を有し、内部に送風機及び熱交換器が設けられた室内機と、壁面等に固定され前記室内機が取付けられる据付板とを有し、
前記室内機と据付板の前面とに、同じ識別記号を設けたことを特徴とする空気調和機。
【請求項２】
前記室内機及び据付板に設けた識別記号を、前記室内機及び据付板が板金製の場合はプレス加工時に形成し、樹脂成形品の場合は金型に刻印して形成することを特徴とする請求項１記載の空気調和機。
【請求項３】
前記室内機と据付板とをそれぞれ別に梱包し、それぞれ別に発送することを特徴とする請求項１記載の空気調和機。  
【発明の詳細な説明】
【技術分野】
【０００１】
本発明は、空気調和機に係り、より詳しくは、室内機と据付板との組合わせ手段に関するものである。
【背景技術】
【０００２】
従来の空気調和機に、壁面に固定した据付板の支持腕に、本体背面に設けた引掛け金具を引っ掛けて、壁面に設置するようにしたものがある（例えば、特許文献１参照）。
【０００３】
【特許文献１】特開平５−１７２３６４号公報（第２−３頁、図２−３）
【発明の開示】
【発明が解決しようとする課題】
【０００４】
近年、集合住宅などで多数の空気調和機を同時に据付ける場合や、戸建て住宅などで複数の部屋に同時に複数の空気調和機を据付ける場合が増加している。
このような場合は、先ず、すべての部屋の壁面などに据付板を固定し、ついで配管などを接続したのち室内機を据付板に取付けている。
【０００５】
特許文献１の空気調和機においては、機種の異なる複数の空気調和機を同時に据付ける場合、機種によって据付板の構造が異なるため室内機と据付板との組合わせがわからなくなり、このため、組合わせの選択に手間がかかるばかりでなく、誤った組合わせのまま据付けることがあり、このような場合は据付板に過大な負荷がかかり、破損によって室内機が落下するおそれがあるという問題があった。
また、組立工場では複数の似通った本体と複数の似通った据付板が混在しており、誤った組み合わせで梱包、出荷されてしまうという問題があった。
【０００６】
本発明は、上記の課題を解決するためになされたもので、機種の異なる複数の空気調和機の室内機と据付板とがばらばらになっても、容易に組合わせることができて、組合わせに手間どったり、誤って取付けたりすることのない空気調和機を提供することを目的としたものである。
【課題を解決するための手段】
【０００７】
本発明に係る空気調和機は、吸込口及び吹出口を有し、内部に送風機及び熱交換器が設けられた室内機と、壁面等に固定され前記室内機が取付けられる据付板とを有し、前記室内機と据付板の前面とに、同じ識別記号を設けたものである。
【発明の効果】
【０００８】
本発明によれば、機種の異なる複数の空気調和機の室内機と据付板がばらばらになっていても、両者に設けた識別記号を整合させることにより容易に組合わせることができるので、据付作業性が向上するばかりでなく、誤って取付けてトラブルが生じることもない。
【発明を実施するための最良の形態】
【０００９】
図１は本発明の一実施の形態に係る空気調和機の室内機に据付板を取付けた状態の背面斜視図、図２は図１のＡ−Ａ断面図、図３は図１の据付板を取外した状態の室内機の背面斜視図、図４は図１の据付板の前面斜視図である。
【００１０】
図において、１は空気調和機の室内機で、後面側（以下、図の左側を前面側、右側を後面側という）には、下部に底板３を有し、上端部に複数の係合部４が設けられたケーシング２を有し、前面側には前面パネル５が設けられている。また、上部に吸込口６が、下部には吸出口７が設けられており、内部には、吸込口６から室内空気を吸込む送風機８、吸込まれた空気を熱交換する熱交換器９が設けられている。そして熱交換器９の下部にはノズル１０が設けられて、ケーシング２との間に吹出口７に連通する風路１１が形成されている。
【００１１】
１５は据付板で、下端部にはケーシング２の底板３に当接する当接部１６が設けられており、また、室内機１のケーシング２の上部に設けた係合部４に対応する位置には、係合部４が係合する係止部１７が設けられている。なお、図には、室内機１のケーシング２に３個の係合部４を、据付板１５にこの係合部４に対応して係止部１７を設けた場合を示してあるが、その数及び構造は適宜変更することができる。
【００１２】
２０は据付板１５の前面側に設けられて、機種別の据付板１５を判別するための識別記号で、例えば、アルファベット、数字、現地の言語などを組合わせて表示されており、据付作業者が見てすぐわかるようにあまり文字数が多くないことが望ましく、例えば、「ＰＬＡＴＥ３１０」、「据付板Ａ１３」などと表示される。
そして、図３に示すように、室内機１の例えばケーシング２の後面側にも、この据付板１５に設けた識別記号２０と全く同じ識別記号１２が設けられている。
【００１３】
上記のような識別記号１２，２０は、シールを貼ったりスタンプを押したりして設けてもよいが、例えば、室内機１のケーシング２や据付板１５が板金製の場合はプレス加工時に、樹脂成形品の場合は金型に刻印することにより設けることができる。なお、室内機１に設ける識別記号１２の位置は、ケーシング２に限定するものではなく、据付作業者の目につき易い場所であればよい。
【００１４】
このように形成することにより、ケーシング２（室内機１）や据付板１５の成形と同時に識別記号１２，２０が設けられるので、シールを貼ったりスタンプを押したりする手間が省けるばかりでなく、シールの貼り間違いやスタンプの押し間違いを防止することができ、その上コストを低減することができる。
【００１５】
上記のように構成した空気調和機を、例えば集合住宅の各部屋に設置する場合は、先ず、それぞれ指定された機種の空気調和機の据付板１５を、各部屋の壁面などに、ねじ、釘、ボルト等により固定し、必要な配管等の工事を行う。
次に、据付板１５の識別記号２０と同じ識別記号１２が設けられた室内機１の係合部４を、据付板１５の係止部１７に係合することにより、室内機１の据付けが終了する。
【００１６】
本発明によれば、室内機１に据付板１５を組付けた状態で梱包して輸送し、据付現場で据付板１５を取外して各機種の据付板１５を混ぜ合わせたり、あるいは、多機種の室内機１と据付板１５を別々に梱包して据付現場に輸送して、所定の機種の据付板１５を壁面等に固定した場合でも、室内機１と据付板１５に設けた識別記号１２と２０を合わせることにより、容易に判別して組合わせることができる。これにより、判別のために据付作業が手間どったり、組合わせを誤ったりすることがない。
【００１７】
また、建設中の集合住宅などにおいては、最初に多数の据付板１５だけを梱包して建設現場に輸送し、内装工事の際に配管穴の加工と据付板１５の固定を行い、その後室内機１を輸送してそれぞれ取付板１５に取付けるようにしてもよく、この場合も、識別記号１２と２０を組合わせることにより、室内機１を容易かつ確実に該当する機種の据付板１５に取付けることができる。
さらに、据付板１５をサービス部品として発注する場合などにおいては、識別記号２０だけを電話などで伝えることにより、簡単に注文することができる。
【００１８】
また、従来は、空気調和機の室内機を梱包する際は、図６に示すように、室内機１に据付板１５を組付け、その外側にリモコンなどの付属部品１３を配置して梱包するため、梱包サイズが大きくなり、輸送等の荷役が面倒であった。
本発明によれば、図５に示すように、室内機１と据付板１５を別々に梱包し、付属部品１３を室内機１のすき間に挿入して梱包することができるので、梱包サイズを小さくすることができ、輸送等の荷役が容易である。
【００１９】
上記の説明では、図示の空気調和機の室内機１及び据付板１５に本発明を実施した場合を示したが、本発明はこれに限定するものではなく、他の構造の室内機及び据付板にも本発明を実施することができる。
【図面の簡単な説明】
【００２０】
【図１】本発明の実施の形態１に係る空気調和機の室内機に据付板を取付けた状態の背面斜視図である。
【図２】図１のＡ−Ａ断面図である。
【図３】図１の据付板を取外した状態の室内機の背面斜視図である。
【図４】図１の据付板の前面斜視図である。
【図５】本発明に係る室内機の梱包状態を示す説明図である。
【図６】従来の室内機の梱包状態を示す説明図である。
【符号の説明】
【００２１】
１  室内機、２  ケーシング、４  係合部、５  前面パネル、６  吸込口、７  吹出口、８  送風機、９  熱交換器、１５  据付板、１７  係止部。
【図１】
2009257646.tif 000003
【図２】
2009257646.tif 000004
【図３】
2009257646.tif 000005
【図４】
2009257646.tif 000006
【図５】
2009257646.tif 000007
【図６】
2009257646.tif 000008